(57)【要約】【課題】  内容量の減少に伴い、三次元のうちの一次元の方向のみ小さくして確実に減容化することができる紙箱を提供することである。【解決手段】  側面板、背面板、側面板、前面板とにより形成される断面矩形状筒状体の両開口部を封止板で封止した直方体形状の紙箱において、少なくとも前記両側面板の対向する位置に偶数からなる複数条の折罫が設けられると共に前記封止板を開封して両開口部を開口する開封手段が設けられていることを特徴とする紙箱。【選択図】        図１
2007030910.tif 000002
【特許請求の範囲】
【請求項１】
側面板、背面板、側面板、前面板とにより形成される断面矩形状筒状体の両開口部を封止板で封止した直方体形状の紙箱において、少なくとも前記両側面板の対向する位置に偶数からなる複数条の折罫が設けられると共に前記封止板を開封して両開口部を開口する開封手段が設けられていることを特徴とする紙箱。
【発明の詳細な説明】
【技術分野】
【０００１】
本発明は、複数回に分けて使用する内容物を収納する紙箱に関し、さらに詳しくは、内容物の残量により減容化して保存することができる紙箱に関するものである。
【背景技術】
【０００２】
従来から、スティック状のパウチ等に封入された粉状、顆粒状や液状の調味料、あるいは、１回の使用量をスティック状のパウチ等に封入したシャンプーやリンスの内容部が紙箱等に複数本収納されて販売されているし、また、カレーのルーやプリン、チーズケーキ等の食品が成形トレイに収納された内容物が２段等に段積みした状態で紙箱等に収納されて販売されている。
【０００３】
上記した調味料等の内容物は一度に使い切ることは殆どなく、通常は残量を保存することになり、また、上記した食品からなる内容物についても一度に使い切らない場合には、残量を保存することになり、いずれの場合においても内容物は紙箱に収納した状態で保存されのが一般的である。
【０００４】
ところで、上記した内容物は使用される毎に内容量は減じていくが、紙箱の容積は常に販売当時の容積であり、収納量に比べて紙箱の容積が大きく、収納スペースが限られている、たとえば、冷蔵庫や食品棚においては、少々厄介な問題となっている。
【０００５】
この種の減容化技術としては、プラスチックボトル等において減容化することができる容器が知られている（たとえば、特許文献１参照）。この技術は、容器の胴部を蛇腹にすることにより、内容量が少なくなるに従って、蛇腹部を圧縮して減容化を図るものであり、使用時や廃棄時に価値ある技術である。
【０００６】
しかしながら、紙箱に収納された内容物に関して使用時に内容量の減少と共に紙箱を減容化していく技術については研究が進んでおらず、本出願人は、先に、使用中において減容化することが可能な紙箱を提案した（特願２００５−０５５９８６）。この技術は紙箱の側板を外側に折り曲げることにより紙箱の容積を減容化するものであるが、折り曲げた側板が外側に突出するために、高さ方向には小さくすることができるものの横方向には逆に広がるために、もう一歩進んだ減容化が望まれた。
【特許文献１】特開平６−３４５０９５号公報
【発明の開示】
【発明が解決しようとする課題】
【０００７】
そこで本発明は、内容量の減少に伴い、三次元のうちの一次元の方向のみ小さくして確実に減容化することができる紙箱を提供することである。
【課題を解決するための手段】
【０００８】
本発明者は、上記課題を達するために、請求項１記載に本発明の紙箱は、側面板、背面板、側面板、前面板とにより形成される断面矩形状筒状体の両開口部を封止板で封止した直方体形状の紙箱において、少なくとも前記両側面板の対向する位置に偶数からなる複数条の折罫が設けられると共に前記封止板を開封して両開口部を開口する開封手段が設けられていることを特徴とするものである。
【発明の効果】
【０００９】
本発明は、両側面板の対応する位置に偶数からなる複数条の折罫を設る共に封止板を開封する開封手段を設けたことにより、封止板を開封手段により開封し、内容物を一定量取り出した後に、前記両側面板に設けた偶数からなる複数条の折罫を前面板側から順に山折と谷折りすることにより前記前面板に直交する方向を小さくすることができ、紙箱を減容化することができるという効果を奏するものである。
【発明を実施するための最良の形態】
【００１０】
上記の本発明について、図面等を用いて以下に詳述する。
図１は本発明にかかる紙箱の第１実施形態を示す斜視図、図２は図１に示す紙箱の展開図、図３は図１に示す紙箱を減容化した状態を示す斜視図、図４は本発明にかかる紙箱の第２実施形態を示す斜視図、図５は図４に示す紙箱の展開図、図６は図４に示す紙箱を減容化した状態を示す斜視図であり、図中の１，１’は紙箱、２，２’はブランク板、６，７は封止板、１０，３０は側面板、２０は背面板、４０が前面板、１２，１３，２１，２２，２３，２４，２５，３４，４５，３１，３２は折罫、６１，６２は底面フラップ、７１，７２は天面フラップ、６１１，６２１は蓋部、６１２，６２２は差込部、８０は略コの字状切込、Ａ１，Ａ２は減容化折罫、Ｂ１、Ｂ２はジッパー、Ｂ３，Ｂ４は開封ミシン目線をそれぞれ示す。
【００１１】
図１は本発明にかかる紙箱の第１実施形態を示す斜視図、図２は図１に示す紙箱の展開図であって、紙箱１は側面板１０、背面板２０、側面板３０、前面板４０とにより形成される断面矩形状筒状体の両開口部を前記背面板２０に折罫２１、２２を介して連接した底面フラップ６１、６２と前記前面板４０に折罫３１、３２を介して連接した天面フラップ７１、７２とからなる封止板６、７で封止した直方体形状の紙箱において、少なくとも前記両側面板１０、３０を３等分する位置に２条の減容化折罫Ａ１、Ａ２が対向するように設けられると共に前記封止板６、７を開封して両開口部を開口する開封手段としての２条の略への字状ミシン目線からなるジッパーＢ１、Ｂ２が天面フラップ７１、７２にその１条の略への字状ミシン目線が前記折罫３１、３２を兼ねて設けられているものである。なお、前記側面板１０、３０には折罫１１、１３を介して折込フラップ６０、７０が設けられ、前記減容化折罫Ａ１、Ａ２が前記側面板１０、３０から連続して設けられ、また、前記底面フラップ６１、６２に、後述する前記紙箱１を減容化した際に開口部を塞ぐ蓋部６１１、６２１と差込部６１２、６２２となるように折罫２４、２５が設けられている。
【００１２】
前記紙箱１の組立ては、側面板１０、背面板２０、側面板３０、前面板４０、糊代片５０が折罫１２、２３、３４、４５で連接した図２に示す展開図のブランク板２を、前記折罫３４で図２に示す紙面の裏側に折り重ね、次いで前記側面板１０を折罫１２で折って前記糊代片５０に重ねると共に前記側面板１０と前記糊代片を接着し、その後に起函して断面矩形状筒状体となした両開口部のいずれかから内容物を収納し、その後に前記折込フラップ６０、７０を前記折罫１１、１３で折り込むと共に、前記底面フラップ６１、６２を前記折込フラップ６０、７０上に前記折罫２１、２２で折り重ね、さらに前記天面フラップ７１、７２を前記折罫３１、３２で前記底面フラップ６１、６２上に折り重ねると共に、前記底面フラップ６１、６２と前記天面フラップ７１、７２を接着することにより本発明の紙箱１となる。
【００１３】
このように構成した紙箱１は、使用に際して、まずジッパーＢ１ないしＢ２を引裂くことにより開封され、内容物を取り出し、内容物が少なくなった時点で、ジッパーＢ２ないしＢ１も引裂き、前記側面板１０、３０及び前記折込フラップ６０、７０に設けた前記減容化折罫Ａ１を外側に凸となるように折り曲げると共に前記減容化折罫Ａ２を内側（箱側）に凸となるように折り曲げてＺ字状に重ね合わせ、重ね合わせた前記折込フラップ６０、７０を内側に折り込むと共に天面フラップ７１、７２の一部が貼着された状態の前記底面フラップ６１、６２を前記折罫２４、２５で折ると共に前記差込フラップ６１２、６２２を開口部から差し込むことにより図３に示す減容化された紙箱とすることができ、限られた収納スペースである冷蔵庫や食品棚に嵩張ることなく収納することができる。
【００１４】
図４は本発明にかかる紙箱の第２実施形態を示す斜視図、図５は図４に示す紙箱の展開図であって、紙箱１’および紙箱１’のブランク板２’は図１、２に示した紙箱１および紙箱１のブランク板２において、前記天面フラップ７１、７に設けたジッパーＢ１、Ｂ２に代えて前記折罫３１、３２の中央部に前記折罫３１、３２から延びて前記前面板４０に設けられた略半円形状のミシン目線と、該ミシン目線の両端に連接して前記折罫３１、３２に沿って設けられた略への字状のミシン目線とからなる開封手段としての開封ミシン目線Ｂ３、Ｂ４が設けられると共に、後述する前記紙箱１’を減容化した際に前記略半円形状のミシン目線で区画された前記前面板１０の部分を挿入して係止して開口部を塞ぐための略コの字状切込８０が設けらている以外は紙箱１と同じであり、説明は省略する。
【００１５】
このように構成した紙箱１’は、使用に際して、まず開封ミシン目線Ｂ３ないしＢ４の前記略半円形状のミシン目線で区画された部分を手指で押圧して破ると共に、この部分を手指で摘んで前記折罫３２ないし３１から乖離する方向に引っ張ることにより、前記開封ミシン目線Ｂ３ないしＢ４で引裂いて開封され、内容物を取り出し、内容物が少なくなった時点で、前記開封ミシン目線Ｂ４ないしＢ３も引裂き、前記側面板１０、３０及び前記折込フラップ６０、７０に設けた前記減容化折罫Ａ１を外側に凸となるように折り曲げると共に前記減容化折罫Ａ２を内側（箱側）に凸となるように折り曲げてＺ字状に重ね合わせ、重ね合わせた前記折込フラップ６０、７０を内側に折り込むと共に天面フラップ７１、７２の一部が貼着された状態の前記底面フラップ６１、６２を前記折罫２４、２５で折ると共に前記開封ミシン目線Ｂ３ないしＢ４で形成された前記半円形状にミシン目線で区画された部分を前記略コの字状切込８０に差し込むことにより図６に示す減容化された紙箱とすることができ、限られた収納スペースである冷蔵庫や食品棚に嵩張ることなく収納することができる。
【００１６】
なお、実施例においては、減容化折罫を２条としたが、４条以上の偶数条であってもよいが、現実的には２条で事足りものである。また、実施例においては前記側面板１０、３０を３等分する位置に減容化折罫を設けたが、これに限るものではなく、前記前面板４０の直交する方向の所望の減容化率により適宜に減容化折罫を設ける位置を設定すればよいものである。また、実施例においては、前記折込フラップ６０、７０にも前記側面板１０、３０に設けた減容化折罫Ａ１、Ａ２を延ばしたものを示したが、減容化折罫Ａ１、Ａ２を前記側面板１０、３０にのみ形成したものとし、減容化する際には前記折込フラップ６０、７０を前記折罫１１、１３で切り取るようにしてもよいものである。
【図面の簡単な説明】
【００１７】
【図１】本発明にかかる紙箱の第１実施形態を示す斜視図である。
【図２】図１に示す紙箱の展開図である。
【図３】図１に示す紙箱を減容化した状態を示す斜視図である。
【図４】本発明にかかる紙箱の第２実施形態を示す斜視図である。
【図５】図４に示す紙箱の展開図である。
【図６】図４に示す紙箱を減容化した状態を示す斜視図である。
【符号の説明】
【００１８】
１，１’                              紙箱
２，２’                              ブランク板
６，７                                封止板
１０，３０                            側面板
２０                                  背面板
１２，１３，２１，２２，２３，２４    折罫
２５，３４，４５，３１，３２          折罫
４０                                  前面板
６１，６２                            底面フラップ
７１，７２                            天面フラップ
８０                                  略コの字状切込
６１１，６２１                        蓋部
６１２，６２２                        差込部
Ａ１，Ａ２                            減容化折罫
Ｂ１、Ｂ２                            ジッパー
Ｂ３，Ｂ４                            開封ミシン目線
【図１】
2007030910.tif 000003
【図２】
2007030910.tif 000004
【図３】
2007030910.tif 000005
【図４】
2007030910.tif 000006
【図５】
2007030910.tif 000007
【図６】
2007030910.tif 000008